【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ヘッド前部、ヘッド後部、ヘッドヒール部、ヘッドトウ部、ヘッド上部及びヘッドソール部によって境界付けられたヘッド内部を備えるヘッド本体と、
幾何学中心を有する打撃フェースと、
ヘッドＣＧ深さ及びヘッドＣＧ高さを有するヘッド重心と、を備え、
前記クラブヘッドが、ドライバー型本体を備え、
前記ヘッドＣＧ高さが、０ｍｍから５．０８ｍｍであり、
前記ヘッドＣＧ深さが、４１ｍｍから１０２ｍｍであり、
前記ゴルフクラブヘッドのヘッド容量が、４２０ｃｃ（４２０立方センチメートル）から４７０ｃｃ（４７０立方センチメートル）であり、
前記ゴルフクラブヘッドのヘッド重量が、１８５グラムから２２５グラムであり、
前記クラブヘッドの１５％を上回る質量が、前記クラブヘッドの長さの最後尾２０％内に配置され、
前記クラブヘッドの５％を上回る質量が、前記クラブヘッドの長さの最後尾１０％内に配置される、ゴルフクラブヘッド。
【請求項２】
前記クラブヘッドの２０％を上回る質量が、前記クラブヘッドの長さの最後尾２０％内に配置される、請求項１に記載のゴルフクラブヘッド。
【請求項３】
前記クラブヘッドの２５％を上回る質量が、前記クラブヘッドの長さの最後尾２０％内に配置される、請求項１に記載のゴルフクラブヘッド。
【請求項４】
前記クラブヘッドの１０％を上回る質量が、前記クラブヘッドの長さの最後尾１０％内に配置される、請求項１から３のいずれか一項に記載のゴルフクラブヘッド。
【請求項５】
前記クラブヘッドの１５％を上回る質量が、前記クラブヘッドの長さの最後尾１０％内に配置される、請求項１から３のいずれか一項に記載のゴルフクラブヘッド。
【請求項６】
前記ゴルフクラブヘッドは、さらに、前記ヘッド本体の前記ヘッドソール部及び前記ヘッド後部の付近に配置された錘構造体であって、時計盤の５時線と８時線との間に配置された錘構造体重心を備える前記錘構造体を備え、
前記時計盤は、
１２時線、
３時線、
４時線、
５時線、
８時線、及び
９時線を備え、
前記ゴルフクラブヘッドの底面から見て前記ゴルフクラブヘッドがアドレス部にあるとき、前記１２時線は、前記打撃フェース中心点と位置合わせされ、ロフト面と地面との間の前部交線に直交しており、
前記時計盤が、前記ヘッド前部の前端と前記ヘッド後部の後端の間の中点において、前記１２時線に沿って中央に配置され、
前記３時線が、前記ヘッドヒール部に向かって延び、
前記９時線が、前記ヘッドトウ部に向かって延びる、請求項１から５のいずれか一項に記載のゴルフクラブヘッド。
【請求項７】
前記錘構造体が、前記ヘッドソール部の外部輪郭から少なくとも部分的に突出する、請求項６に記載のゴルフクラブヘッド。
【請求項８】
前記ゴルフクラブヘッドは、さらに、前記ヘッド上部上に位置決めされた１つ以上の細領域であって、０．０２０インチ（０．０５１ｃｍ）未満の厚さを備える前記１つ以上の細領域を備える、請求項１から７のいずれか一項に記載のゴルフクラブヘッド。
【請求項９】
前記ゴルフクラブヘッドは、さらに、前記クラブヘッドの前記ヘッド後部の縁部の１．０インチ（２．５４ｃｍ）以内に位置決めされた錘であって、１０．０より大きい比重及び１０グラムより大きい質量を有する前記錘を備える、請求項１から８のいずれか一項に記載のゴルフクラブヘッド。
【請求項１０】
前記錘が、前記ヘッド重心から１．５インチ（３．８１ｃｍ）を超えて位置決めされる、請求項９に記載のゴルフクラブヘッド。
【請求項１１】
前記ゴルフクラブヘッドは、さらに、クラウン角を備え、
前記クラウン角が前記打撃フェースの前記幾何学中心を通って切断された前記クラブヘッドの側断面図において測定される場合、前記クラウン角は７０度未満であり、
前記クラウン角が前記打撃フェースの前記幾何学中心から前記ヘッドトウ部に１．０インチ（２．５４ｃｍ）寄って配置された点を通って切断された前記クラブヘッドの側断面図で測定される場合、前記クラウン角は７９度未満である、請求項１から１０のいずれか一項に記載のゴルフクラブヘッド。
【請求項１２】
ゴルフクラブヘッドであって、
ヘッド前部、ヘッド後部、ヘッドヒール部、ヘッドトウ部、ヘッド上部及びヘッドソール部によって境界付けられたヘッド内部を備えるヘッド本体と、
幾何学中心を有する打撃フェースと、
ヘッドＣＧ深さ及びヘッドＣＧ高さを有するヘッド重心と、を備え、
前記クラブヘッドが、ドライバー型本体を備え、
前記ＣＧ高さが、０ｍｍから１２．８ｍｍであり、
前記ヘッドＣＧ深さが、３５ｍｍから９０ｍｍであり、
前記ゴルフクラブヘッドのヘッド容量が、３００ｃｃ（３００立方センチメートル）から４００ｃｃ（４００立方センチメートル）であり、
前記ゴルフクラブヘッドのヘッド重量が、１９０グラムから２４０グラムであり、
前記クラブヘッドの１５％を上回る質量が、前記クラブヘッドの長さの最後尾２０％内に配置され、
前記クラブヘッドの５％を上回る質量が、前記クラブヘッドの長さの最後尾１０％内に配置される、ゴルフクラブヘッド。
【請求項１３】
前記クラブヘッドの２０％を上回る質量が、前記クラブヘッドの長さの最後尾２０％内に配置される、請求項１２に記載のゴルフクラブヘッド。
【請求項１４】
前記クラブヘッドの２５％を上回る質量が、前記クラブヘッドの長さの最後尾２０％内に配置される、請求項１２に記載のゴルフクラブヘッド。
【請求項１５】
前記クラブヘッドの１０％を上回る質量が、前記クラブヘッドの長さの最後尾１０％内に配置される、請求項１２から１４のいずれか一項に記載のゴルフクラブヘッド。
【請求項１６】
前記クラブヘッドの１５％を上回る質量が、前記クラブヘッドの長さの最後尾１０％内に配置される、請求項１２から１４のいずれか一項に記載のゴルフクラブヘッド。
【請求項１７】
前記ゴルフクラブヘッドは、さらに、前記ヘッド本体の前記ヘッドソール部及び前記ヘッド後部の付近に配置された錘構造体であって、時計盤の５時線と８時線との間に配置された錘構造体重心を備える前記錘構造体を備え、
前記時計盤は、
１２時線、
３時線、
４時線、
５時線、
８時線、及び
９時線を備え、
前記ゴルフクラブヘッドの底面から見て前記ゴルフクラブヘッドがアドレス部にあるとき、前記１２時線は、前記打撃フェース中心点と位置合わせされ、ロフト面と地面との間の前部交線に直交しており、
前記時計盤が、前記ヘッド前部の前端と前記ヘッド後部の後端の間の中点において、前記１２時線に沿って中央に配置され、
前記３時線が、前記ヘッドヒール部に向かって延び、
前記９時線が、前記ヘッドトウ部に向かって延びる、請求項１２から１６のいずれか一項に記載のゴルフクラブヘッド。
【請求項１８】
前記錘構造体が、前記ヘッドソール部の外部輪郭から少なくとも部分的に突出する、請求項１７に記載のゴルフクラブヘッド。
【請求項１９】
前記ゴルフクラブヘッドは、さらに、前記ヘッド上部上に位置決めされた１つ以上の細領域であって、０．０２０インチ（０．０５１ｃｍ）未満の厚さを備える前記１つ以上の細領域を備える、請求項１２から１８のいずれか一項に記載のゴルフクラブヘッド。
【請求項２０】
前記ゴルフクラブヘッドは、さらに、前記クラブヘッドの前記ヘッド後部の縁部の１．０インチ（２．５４ｃｍ）以内に位置決めされた錘を備える、請求項１２から１９のいずれか一項に記載のゴルフクラブヘッド。
【手続補正２】
【補正対象書類名】明細書
【補正対象項目名】０１２８
【補正方法】変更
【補正の内容】
【０１２８】
さらに、本明細書で開示された実施形態及び限定は、その実施形態及び／または限定が、（１）請求項において明示的に特許請求されておらず、（２）均等論の下で請求項中の明示的な要素及び／または限定の均等物であり、または潜在的な均等物である場合、公有の原則（ｄｏｃｔｒｉｎｅ  ｏｆ  ｄｅｄｉｃａｔｉｏｎ）の下で公共用として提供されることはない。
以下の項目は、国際出願時の特許請求の範囲に記載の要素である。
（項目１）
ゴルフクラブヘッドであって、
ヘッド前部、ヘッド後部、ヘッドヒール部、ヘッドトウ部、ヘッド上部及びヘッドソール部によって境界付けられたヘッド内部を備えるヘッド本体と、
幾何学中心を有する打撃フェースと、
ヘッドＣＧ深さ及びヘッドＣＧ高さを有するヘッド重心と、を備え、
前記クラブヘッドが、ドライバー型本体を備え、
前記ヘッドＣＧ高さが、約０ｍｍから約５．０８ｍｍであり、
前記ヘッドＣＧ深さが、約４１ｍｍから約１０２ｍｍであり、
前記ゴルフクラブヘッドのヘッド容量が、約４２０ｃｃから約４７０ｃｃであり、
前記ゴルフクラブヘッドのヘッド重量が、約１８５グラムから約２２５グラムであり、
前記クラブヘッドの１５％を上回る質量が、前記クラブヘッドの長さの最後尾２０％内に配置され、
前記クラブヘッドの５％を上回る質量が、前記クラブヘッドの長さの最後尾１０％内に配置される、ゴルフクラブヘッド。
（項目２）
前記クラブヘッドの２０％を上回る質量が、前記クラブヘッドの長さの最後尾２０％内に配置される、項目１に記載のゴルフクラブヘッド。
（項目３）
前記クラブヘッドの２５％を上回る質量が、前記クラブヘッドの長さの最後尾２０％内に配置される、項目１に記載のゴルフクラブヘッド。
（項目４）
前記クラブヘッドの１０％を上回る質量が、前記クラブヘッドの長さの最後尾１０％内に配置される、項目１に記載のゴルフクラブヘッド。
（項目５）
前記クラブヘッドの１５％を上回る質量が、前記クラブヘッドの長さの最後尾１０％内に配置される、項目１に記載のゴルフクラブヘッド。
（項目６）
前記ゴルフクラブヘッドは、さらに、前記ヘッド本体の前記ヘッドソール部及び前記ヘッド後部の付近に配置された錘構造体であって、時計盤の５時線と８時線との間に配置された錘構造体重心を備える前記錘構造体を備え、
前記時計盤は、
１２時線、
３時線、
４時線、
５時線、
８時線、及び
９時線を備え、
前記ゴルフクラブヘッドの底面から見て前記ゴルフクラブヘッドがアドレス部にあるとき、前記１２時線は、前記打撃フェース中心点と位置合わせされ、ロフト面と地面との間の前部交線に直交しており、
前記時計盤が、前記ヘッド前部の前端と前記ヘッド後部の後端の間の中点において、前記１２時線に沿って中央に配置され、
前記３時線が、前記ヘッドヒール部に向かって延び、
前記９時線が、前記ヘッドトウ部に向かって延びる、項目１に記載のゴルフクラブヘッド。
（項目７）
前記錘構造体が、前記ヘッドソール部の外部輪郭から少なくとも部分的に突出する、項目６に記載のゴルフクラブヘッド。
（項目８）
前記ゴルフクラブヘッドは、さらに、前記ヘッド上部上に位置決めされた１つ以上の細領域であって、０．０２０インチ未満の厚さを備える前記１つ以上の細領域を備える、項目１に記載のゴルフクラブヘッド。
（項目９）
前記ゴルフクラブヘッドは、さらに、前記クラブヘッドの前記ヘッド後部の縁部の１．０インチ以内に位置決めされた錘であって、１０．０より大きい比重及び１０グラムより大きい質量を有する前記錘を備える、項目１に記載のゴルフクラブヘッド。
（項目１０）
前記錘が、前記ヘッド重心から１．５インチを超えて位置決めされる、項目９に記載のゴルフクラブヘッド。
（項目１１）
前記ゴルフクラブヘッドは、さらに、クラウン角を備え、
前記クラウン角が前記打撃フェースの前記幾何学中心を通って切断された前記クラブヘッドの側断面図において測定される場合、前記クラウン角は７０度未満であり、
前記クラウン角が前記打撃フェースの前記幾何学中心から前記ヘッドトウ部に約１．０インチ寄って配置された点を通って切断された前記クラブヘッドの側断面図で測定される場合、前記クラウン角は７９度未満である、項目１に記載のゴルフクラブヘッド。
（項目１２）
ゴルフクラブヘッドであって、
ヘッド前部、ヘッド後部、ヘッドヒール部、ヘッドトウ部、ヘッド上部及びヘッドソール部によって境界付けられたヘッド内部を備えるヘッド本体と、
幾何学中心を有する打撃フェースと、
ヘッドＣＧ深さ及びヘッドＣＧ高さを有するヘッド重心と、を備え、
前記クラブヘッドが、ドライバー型本体を備え、
前記ＣＧ高さが、約０ｍｍから約１２．８ｍｍであり、
前記ヘッドＣＧ深さが、約３５ｍｍから約９０ｍｍであり、
前記ゴルフクラブヘッドのヘッド容量が、約３００ｃｃから約４００ｃｃであり、
前記ゴルフクラブヘッドのヘッド重量が、約１９０グラムから約２４０グラムであり、
前記クラブヘッドの１５％を上回る質量が、前記クラブヘッドの長さの最後尾２０％内に配置され、
前記クラブヘッドの５％を上回る質量が、前記クラブヘッドの長さの最後尾１０％内に配置される、ゴルフクラブヘッド。
（項目１３）
前記クラブヘッドの２０％を上回る質量が、前記クラブヘッドの長さの最後尾２０％内に配置される、項目１２に記載のゴルフクラブヘッド。
（項目１４）
前記クラブヘッドの２５％を上回る質量が、前記クラブヘッドの長さの最後尾２０％内に配置される、項目１２に記載のゴルフクラブヘッド。
（項目１５）
前記クラブヘッドの１０％を上回る質量が、前記クラブヘッドの長さの最後尾１０％内に配置される、項目１２に記載のゴルフクラブヘッド。
（項目１６）
前記クラブヘッドの１５％を上回る質量が、前記クラブヘッドの長さの最後尾１０％内に配置される、項目１２に記載のゴルフクラブヘッド。
（項目１７）
前記ゴルフクラブヘッドは、さらに、前記ヘッド本体の前記ヘッドソール部及び前記ヘッド後部の付近に配置された錘構造体であって、時計盤の５時線と８時線との間に配置された錘構造体重心を備える前記錘構造体を備え、
前記時計盤は、
１２時線、
３時線、
４時線、
５時線、
８時線、及び
９時線を備え、
前記ゴルフクラブヘッドの底面から見て前記ゴルフクラブヘッドがアドレス部にあるとき、前記１２時線は、前記打撃フェース中心点と位置合わせされ、ロフト面と地面との間の前部交線に直交しており、
前記時計盤が、前記ヘッド前部の前端と前記ヘッド後部の後端の間の中点において、前記１２時線に沿って中央に配置され、
前記３時線が、前記ヘッドヒール部に向かって延び、
前記９時線が、前記ヘッドトウ部に向かって延びる、項目１２に記載のゴルフクラブヘッド。
（項目１８）
前記錘構造体が、前記ヘッドソール部の外部輪郭から少なくとも部分的に突出する、項目１７に記載のゴルフクラブヘッド。
（項目１９）
前記ゴルフクラブヘッドは、さらに、前記ヘッド上部上に位置決めされた１つ以上の細領域であって、０．０２０インチ未満の厚さを備える前記１つ以上の細領域を備える、項目１２に記載のゴルフクラブヘッド。
（項目２０）
前記ゴルフクラブヘッドは、さらに、前記クラブヘッドの前記ヘッド後部の縁部の１．０インチ以内に位置決めされた錘を備える、項目１２に記載のゴルフクラブヘッド。